(57)【特許請求の範囲】
【請求項１】
扉枠１側の第１磁性体４を有する受け金具２と、扉１０の中央部に取付けられ、かつ、水平出没ボルト１５用の自動係脱機構１６を有する中央錠箱１１との組合わせで第１錠Ｘを構成し、一方、扉枠１側の第２磁性体５を有する受け金具３と、扉１０の上端部に取付けられ、かつ、上部垂直出没ボルト８０用の自動係脱機構１６Ａを有する上部錠箱１２との組合わせで第２錠Ｙを構成し、前記水平出没ボルト１５は、前記中央錠箱１１に内装されかつ操作部材４０の操作力により回動する前記駆動体４１に係合し、一方、前記上部垂直出没ボルト８は、前記駆動体４１駆動力により下降する中央錠箱１１内の上方スライド片７０と、前記上部錠箱１２内のボルト引下げ機構９５（９５Ａ）の上部垂直出没ボルト８０用引下げ片９６に上部連結杆１３を介して連結された出没ボルトの後退及び自動係脱機構であり、扉１０の閉鎖時、前記自動係脱機構１６、１６Ａにそれぞれ係止される水平出没ボルト１５及び上部垂直出没ボルト８０は、前記扉枠１側の第１磁性体４並びに第２磁性体５の極性に対応して反発或いは吸着する磁性体３３、３３Ａをそれぞれ有するトリガー３０、３０Ａと、これらのトリガーの回転駆動によりそれぞれ係止解除される各々の係止レバー３５、３５Ａと、突出方向に付勢された各々の付勢バネ２５、２５Ａのバネ力を介してどちらも突出し、前記受け金具２、３にそれぞれ係合することを特徴とする出没ボルトの後退及び自動係脱機構。
【請求項２】
請求項１に於いて、中央錠箱１１内には、下部係合アーム６４が操作部材４０の操作によって回転する駆動体４１に係合し、一方、上部係合アーム６６が上方スライド片７０に係合する従動リンク６２が配設され、この従動リンク６２は固定軸６１を介して中央錠箱１１に軸支されていることを特徴とする出没ボルトの後退及び自動係脱機構。
【請求項３】
請求項１に於いて、各錠箱１１、１２にそれぞれ設けられた出没ボルト１５、８０は突出方向に連続する係合溝２３、２３Ａを有し、操作部材４０を操作して扉１０を開けた瞬間、各錠箱１１、１２内にそれぞれ後退した前記出没ボルト１５、８０の前記係合溝２３、２３Ａにそれぞれ係合している各係止レバー３５、３５Ａは、それぞれのトリガー３０、３０Ａの爪状駆動係合部３４、３４Ａに係止され、扉を開いている間、この係止状態が保たれていることを特徴とする出没ボルトの後退及び自動係脱機構。
【請求項４】
請求項１に於いて、ボルト引下げ機構９５（９５Ａ）は、引下げ片９６の嵌合孔１０５を貫通する係止棒１０４を有し、この係止棒１０４は、押しバネ１００で係合方向に常時付勢されていると共に、上部連結杆１３の上端部１３ａに係脱可能に係合していることを特徴とする出没ボルトの後退及び自動係脱機構。
【請求項５】
請求項４に於いて、上部錠箱１２内には、上蓋９１から係止棒１０４の突出頭部１０４ａまで延びた細板状乃至長棒状の係止棒解除用操作片１１１が常設されていることを特徴とする出没ボルトの後退及び自動係脱機構。
【発明の詳細な説明】
【０００１】
【発明の属する技術分野】
本発明は、建物に設置された大型扉用錠の出没ボルトの後退及び自動係脱機構に関する。
【０００２】
【従来の技術】
一般に建物に設置された大型扉を錠でロックする場合、扉枠に設けられた受け金具との係脱関係の確実性、容易性等の点を考慮する必要がある。特に大型扉が、俗に「自由扉」であり、操作部材の操作により室内側又は室外側のいずれにでも開くことができる場合には、これらの点を十分に考慮した錠が要求される。
【０００３】
例えば扉を扉枠に対して閉鎖した時に、錠箱のデッドボルトが受け金具に整合しないと、デッドボルトは受け金具のストライクに当接し、スムースにストライクの係合孔に入り込まない。また扉を開いた時にデッドボルトが錠箱から出てしまうと、扉を簡単に閉じることができないと言う問題が生じる。
【０００４】
ところで、現在、上記係脱関係の確実性、容易性を考慮しながら、大型扉に複数個、少なくとも扉の中央部と上端部に出没ボルトを有する錠箱をそれぞれ取付け、仮に扉枠の取付けの不具合があっても、あるいは扉に取付けたクローザの作動に多少の不具合があっても、あるいは又扉の閉鎖時に操作部材をロックするために操作しなくても、上記係脱関係の確実性、容易性を考慮した錠の出現が要望されている。具体的には扉を容易に閉じることができるように、扉を開けた時には、操作部材の操作に起因し、複数個の錠箱の各出没ボルトが共に後退し、かつ、扉を開けている間は常に各出没ボルトが錠箱内に引っ込んだままである反面、扉を閉じると、その瞬間に各出没ボルトが自動的に対応する受け金具に確実に係合することである。
【０００５】
【発明が解決しようとする課題】
本発明は以上のような従来の要望に鑑み、第１の目的は、扉を開けた時には、操作部材を操作に基づき、複数個の錠箱の各出没ボルトが共に後退し、かつ、扉を開けている間は常に各出没ボルトが錠箱内に引っ込んだままである反面、扉を閉じると、その瞬間に、各出没ボルトが自動的に対応する受け金具にそれぞれ確実に係合することができる出没ボルトの同期後退及び自動係脱機構を提供することである。第２の目的は、できるだけ構成する部品点数を少なくした出没ボルトの後退及び自動係脱機構を提供することである。第３の目的は、上部錠箱に内装された上部垂直出没ボルト用引下げ片に連結された上部連結杆を容易に取り外すことができることである。
【０００６】
【課題を解決するための手段】
本発明の出没ボルトの後退及び自動係脱機構は、扉枠１側の第１磁性体４を有する受け金具２と、扉１０の中央部に取付けられ、かつ、水平出没ボルト１５用の自動係脱機構１６を有する中央錠箱１１との組合わせで第１錠Ｘを構成し、一方、扉枠１側の第２磁性体５を有する受け金具３と、扉１０の上端部に取付けられ、かつ、上部垂直出没ボルト８０用の自動係脱機構１６Ａを有する上部錠箱１２との組合わせで第２錠Ｙを構成し、前記水平出没ボルト１５は、前記中央錠箱１１に内装されかつ操作部材４０の操作力により回動する前記駆動体４１に係合し、一方、前記上部垂直出没ボルト８は、前記駆動体４１駆動力により下降する中央錠箱１１内の上方スライド片７０と、前記上部錠箱１２内のボルト引下げ機構９５（９５Ａ）の上部垂直出没ボルト８０用引下げ片９６に上部連結杆１３を介して連結された出没ボルトの後退及び自動係脱機構であり、扉１０の閉鎖時、前記自動係脱機構１６、１６Ａにそれぞれ係止される水平出没ボルト１５及び上部垂直出没ボルト８０は、前記扉枠１側の第１磁性体４並びに第２磁性体５の極性に対応して反発或いは吸着する磁性体３３、３３Ａをそれぞれ有するトリガー３０、３０Ａと、これらのトリガーの回転駆動によりそれぞれ係止解除される各々の係止レバー３５、３５Ａと、突出方向に付勢された各々の付勢バネ２５、２５Ａのバネ力を介してどちらも突出し、前記受け金具２、３にそれぞれ係合することを特徴とする。
【０００７】
上記構成に於いて、中央錠箱１１内には、下部係合アーム６４が操作部材４０の操作によって回転する駆動体４１に係合し、一方、上部係合アーム６６が上方スライド片７０に係合する従動リンク６２が配設され、この従動リンク６２は固定軸６１を介して中央錠箱１１に軸支されていることを特徴とする。また各錠箱１１、１２にそれぞれ設けられた出没ボルト１５、８０は、突出方向に連続する係合溝２３、２３Ａを有し、操作部材４０を操作して扉１０を開けた瞬間、各錠箱１１、１２内にそれぞれ後退した前記出没ボルト１５、８０の前記係合溝２３、２３Ａにそれぞれ係合している各係止レバー３５、３５Ａは、それぞれのトリガー３０、３０Ａの爪状駆動係合部３４、３４Ａに係止され、扉を開いている間、この係止状態が保たれていることを特徴とする。またボルト引下げ機構９５（９５Ａ）は、引下げ片９６の嵌合孔１０５を貫通する係止棒１０４を有し、この係止棒１０４は、押しバネ１００で係合方向に常時付勢されていると共に、同期用連結杆１３の上端部１３ａに係脱可能に係合していることを特徴とする。さらに、上部錠箱１２内には、上蓋９１から係止棒１０４の突出頭部１０４ａまで延びた細板状乃至長棒状の係止棒解除用操作片１１１が常設されていることを特徴とする。
【０００８】
【発明の実施の形態】
以下、図面に示す本発明の実施の形態を建物に設置した大型扉の一例で説明する。まず図１は、例えば室内側又は室外側のいずれの側にでも自由に開くことができる大型扉（以下、「扉」と言う。）に、水平出没ボルトを有する中央錠箱と、垂直出没ボルトを有する上部及び下部錠箱とをそれぞれ取付け、中央錠箱側のレバーハンドルを操作すると、上部連結杆を介し、前記水平出没ボルト及び垂直出没ボルトがどちらも各錠箱にそれぞれ後退する全体の概略説明図である。
【０００９】
ところで、本発明は、レバーハンドルを含む中央錠箱側の各部材と、上部錠箱側の各部材と、これらの各部材中のスライド部材に連結された上部連結杆により、複数個の出没ボルトのそれぞれの後退及び自動係脱機構を構成している。
【００１０】
したがって、本発明の権利請求する技術的思想は、扉の中央部に取付けた第１錠Ｘと、扉の上端部に取付けた第２錠Ｙとの組合わせ機構である。それ故に、図１では扉を３箇所でロックできる一例を示しているが、このように扉に第１錠Ｘの構成と第２錠Ｙの構成をそれぞれ「そっくり」取付け、かつ、扉の下端部に下部の垂直出没ボルトを有する第３錠Ｚ（第２錠Ｙと同一の機能の錠）を取付ける実施行為は、本発明の「利用発明」に該当する、と言える。
【００１１】
そこで、本発明に於いては、第１錠Ｘの構成と、この第１錠Ｘに組合わせた第２錠Ｙの構成について詳しく説明する。
【００１２】
図１を参照に大まかに符号を付すと、１は扉枠で、この扉枠１の縦枠及び上部横枠には、それぞれストライクを有するケース状の受け金具２、３が固定的に取付けられている。４は前記縦枠の受け金具２に固定的に設けられた第１磁性体、一方、５は上部横枠の受け金具３に固定的に設けられた第２磁性体で、これらの磁性体４、５は比較的磁力の強い永久磁石が使用されている。
【００１３】
１０は扉で、この扉１０の中央部（中央部寄りの位置も含む。）には、各部材が組込まれた中央錠箱１１が固定的に設けられている。一方、１２は扉１０の上端部に固定的に取付けられた上部錠箱である。そして、１３は下端部が中央錠箱１１の上壁１１ａに、一方、上端部が上部錠箱１２の底壁１２ａにそれぞれ貫通状態に差し込まれた上部連結杆である。
【００１４】
なお、本発明では、第１錠Ｘは扉枠１側の第１磁性体４を有する受け金具２と、扉１０側の水平出没ボルトの自動係脱機構を有する中央錠箱１１とから成る。また第２錠Ｙは扉枠１側の第２磁性体５を有する受け金具３と、扉１０側の垂直上部出没ボルトの自動係脱機構を有する上部錠箱１２とから成る。さらに、「出没ボルトの自動係脱機構」とは、操作部材を操作しながら扉を開くと、錠箱内に後退した出没ボルトが係止レバーによって自動的に係止された状態を維持し、一方、扉を閉めると、受け金具側の磁性体の極性に対応して駆動する錠箱内のトリガーが回転し、これにより係止レバーの係止状態が解除されることを言う。
【００１５】
図２は第１錠Ｘを構成する中央錠箱１１の一部概略断面説明図である。この中央錠箱１１には、前述したように水平出没ボルト１５の自動係脱機構１６が内装されている。
【００１６】
まず水平出没ボルト１５について説明する。この水平出没ボルト１５は、図２で示すように中央錠箱１１の一部を構成するフロント板１７の開口縁部１７ａと、中央錠箱１１の側板の内壁面に少なくとも一端部がカシメ固定された水平出没ボルト用付勢バネの支持板１８とにより水平状態に支持されている。前記付勢バネ支持板１８の形状は、コ字型、Ｌ字型、Ｔ字型等特に限定するものではないが、水平出没ボルト１５を水平移動可能に案内するガイド機能及び水平出没ボルト１５を常時飛び出し方向に付勢する付勢バネの一端部を支持するバネ支持機能をそれぞれ有する形状であるのが望ましい。
【００１７】
また水平出没ボルト１５は自動係脱機構１６の係止レバーと係合する機能や駆動体と係合する機能を有する。そこで、図３及び図４を参照に水平出没ボルト１５の具体的構成について説明する。
【００１８】
２０はフロント板１７の開口縁部１７ａに支持される矩形状の頭部である。この頭部２０の後端部には複数個の固着具２１を介して板状のボルト本体２２が一体的に固定されている。このボルト本体２２の幅広先端部の下側には係合溝の一例であるラック２３が形成、或いは設けられている。またボルト本体２２には幅広先端部から細い後端部に至ってバネ用水平ガイド棒２４が固定的に横架され、この水平ガイド棒２４には、後端部が前述した付勢バネ支持板１８で適宜に支持された水平出没ボルト用付勢バネ２５が巻装されている。またボルト本体２２には、水平ガイド棒２４に沿って水平ガイド長孔２６が形成され、この水平ガイド長孔２６内にはバネ支持板１８の一部が入り込んでいる。さらに、ボルト本体２２の細い後端部は角度方向に折曲形成され、後述する駆動体と当接係合する受け係合部２７と成っている。加えて、ボルト本体２２の幅広先端部の上部側には、本施錠機構の１つの部材を成すロッキングバー（仮想線で示す。）１９の先端部が係合する段差２８が形成されている。
【００１９】
次に水平出没ボルト１５の自動係脱機構１６を図２に基づいて説明する。図２は、扉１０を開く際に操作部材の操作により錠箱内に後退した水平出没ボルトが、扉１０を開いた所で自動的に係止レバーによって係止され、かつ、そのまま操作者が操作部材から手を放しても（操作部材がそのバネ部材のバネ力により元の位置に復帰しても）、係止レバーに係止されている状態が維持されている概略説明図である。
【００２０】
つまり、本発明の自動係脱機構１６（１６Ａ）は、以下に説明するように、中央錠箱１１（上部錠箱１２）内に後退した水平出没ボルト（上部垂直出没ボルト）は、扉１０を開いている間、係止レバー３５（３５Ａ）に係止され、かつ、錠箱内に引っ込んだままであるのに対し、扉１０を閉めると、対向する磁性体の極性（反発又は吸着）に対応して駆動するトリガー３０（３０Ａ）により、前記係止レバー３５（３５Ａ）の係止が自動的に解除される。
【００２１】
この自動係脱機構１６は、本実施例では水平出没ボルト１５の前端部の下方に配設された複数個の部材で構成されている。すなわち、３０は中央錠箱１１内の下方隅角部に第１枢軸３１を介して軸支された「く」の字状のトリガーで、このトリガー３０は、前記第１枢軸３１に取付けられたトリガーバネ３２により、常時反時計方向（係止レバーと係合する方向）に付勢されている。このトリガー３０のフロント板１７側に臨む一端部には、受け金具２の第１磁性体４に対峙可能な中央磁性体３３が固定的に設けられている。この中央磁性体３３は、扉１０を閉めた際に前記第１磁性体４に対向すると、その極性に対応して反発する。したがって、第１枢軸３１を介して軸支されたトリガー３２は、時計方向に瞬間的に反発回転する。一方、トリガー３０の他端部には、爪状の駆動係合部３４が設けられている。
【００２２】
３５は第２枢軸３６を介してトリガー３２の駆動係合部３４と水平出没ボルト１５のラック２３との間に位置するように軸支された係止レバーである。この係止レバー３５は、上端部側にラック２３と噛合するピニオン部３７を有し、一方、半径方向に延びた下端部側に前記爪状駆動係合部３４と係脱するラチェット歯部（セレクター歯面）３８を有する。
【００２３】
次に操作部材４０としての内側レバーハンドル又は外側レバーハンドルによって回動する駆動体４１について説明する。この駆動体４１は、主としてレバーハンドル用操作軸が嵌合する角軸孔４２を有する係合中央部４３の後壁が、前述した水平出没ボルト１５の受け係合部２７と係合するように中央錠箱１１内に配設されている。駆動体４１は、図２又は駆動体を拡大した図５を基準にすると、普通一般に２本の指を開いた状態の親指乃至人差し指形状の外観を呈しており、本実施例では、その形態は水平出没ボルト１５のボルト本体２２の一側垂直面と交差する前記係合中央部４３と、この係合中央部４３から斜め左下方向に延びた係合親指部４４と、この係合親指部４４とは逆に係合中央部４３からやや斜め左上方向に延びた係合人差し指４５とを有する全体として弓状の板状体である。
【００２４】
しかして、係合中央部４３には、所要間隔を有する２個の小突起４３ａ、４３ａが半径方向にそれぞれ設けられ、これらの小突起４３ａ、４３ａは、中央錠箱１１内に固定された２個のストッパーピン４６、４６にそれぞれ当接する。したがって、駆動体４１は所定角度内で回動する。また係合中央部４３の突出する一側面には、駆動体４１を常時反時計方向に付勢する駆動バネ４７が巻装されている。したがって、駆動体４１は操作部材４０の押し下げ操作により時計方向へ回転しても、常態（操作部材４０から手を放した時）ではこの駆動バネ４７の復帰力により、図２で示す状態に復帰する。
【００２５】
係合親指部４４は先端部に横方向に突出する下方係合ピン４８を有し、この下方係合ピン４８は、全体として上向きコ字型状の下方スライド片４９の水平長孔５０に余裕をもって入込んでいる。なお、本発明の特定（必須）要件ではないが、下方スライド片４９は中央錠箱１１内の下方に対向配設された２枚の固定ガイド板５１、５２を介して昇降動可能に設けられていると共に、前述した第３錠Ｚの下部錠箱５３及び中央錠箱１１をそれぞれ垂直状態で貫通する下部連結杆５４と一体的に連結している。したがって、駆動体４１は、扉１０の下端部に設けられた第３錠Ｚを特定要件とする実施例に於いては、下方スライド片４９及び下部連結杆５４を引き上げるための駆動手段でもある。
【００２６】
一方、係合人差し指４５も先端部に横方向に突出する上方係合ピン６０を有し、この上方係合ピン６０は、中央錠箱１１内の上方寄りの位置に固定軸６１を介して軸支された従動リンク６２の垂直案内長孔６３に余裕をもって入込んでいる。
【００２７】
しかして、前記従動リンク６２は、中央錠箱１１内の上方に昇降動可能に設けられた上方スライド片７０と駆動体４１の係合人差し指４５との間に配設され、その形態は全体として「逆く」の字状の外観を呈し、矩形状の前記垂直案内長孔６３を有する下部係合アーム６４と、押し下げ係合ピン６５を横方向に有する上部係合アーム６６とから成る。そして、押し下げ係合ピン６５は、下向きコ字型状の上方スライド片７０の水平案内長孔７１に余裕をもって入込んでいる。したがって、この従動リンク６２は固定軸６１を中心に駆動体４１の動きに追動して回転する。
【００２８】
前記上方スライド片７０も下方スライド片４９と同様に対向的に配設された複数枚の上方固定ガイド板７２、７３、７４に昇降動可能に案内される。しかして、上方スライド片７０の幅広係合部７０ａには、該上方スライド片を常時上昇方向に付勢するバネ部材用突起７５が設けられており、この突起７５には上方スライド片７０の近傍に適宜に配設されたバネ部材７６の一端部７６ａが圧接する。そして、前記バネ部材７６の一端部７６ｂは、中央錠箱１１のフロント板１７側に設けたバネ受けピン７７に圧接している。また上方スライド片７０の水平壁部７０ｂには、前述した第２錠Ｙの上部垂直出没ボルトを上部錠箱１２内に引き下げるための上部連結杆１３の下端部が取付けられている。
【００２９】
ところで、本発明の上部錠箱１２内には、水平出没ボルト１５がフロント板１７から突出して扉枠１の受け金具２に係合した際に、この仮施錠状態を感知する検知手段の検知信号に基づいて作動する本施錠機構（例えばロッキングバー１９をロックするための施錠レバー、ダルマアセンブリー、電気錠のソレノイド等）が適宜に組込まれるが、本発明の目的との関係で発明の特定要件ではないので、図示するのを省略する。
【００３０】
次に扉１０の上端部に取付けた第２錠Ｙの構成について説明する。図６を参照に大まかに符号を付すと、１２は前述した上部錠箱で、この上部錠箱１２の上壁１２ｂの上部垂直出没ボルト８０の上端頭部２０Ａが貫通する開口９０は、右側に幅広く開いている。
【００３１】
上部垂直出没ボルト８０は、上部錠箱１２を構成する上蓋９１の開口縁部９１ａと、上部錠箱１２の内壁に固定された付勢バネ支持板とによって垂直方向に移動可能に支持されている。しかして、上部垂直出没ボルト８０の具体的構成は、図２及び図３を用いて説明した水平出没ボルト１５と略同一なので、便宜上、水平出没ボルト１５の構成に付した同様の名称及符号を使用し、重複する説明を省略する。
【００３２】
そこで、２０Ａは上部垂直出没ボルト８０の上端頭部、２１Ａは固着具、２２Ａはボルト本体、２３Ａは縦方向ラック、２４Ａはバネ用垂直ガイド棒、２５Ａは付勢バネ、２６Ａは垂直ガイド長孔、２７Ａは受け係合部である。
【００３３】
また上部錠箱１２内に設けられ上部垂直出没ボルト８０の自動係脱機構１６Ａも、前述した水平出没ボルト１５の自動係脱機構１６と同一なので、便宜上、自動係脱機構１６の各部材に付した名称及符号と同一又は同様のものを使用し、以下、簡単に説明する。
【００３４】
まず図６は扉１０を開く際に操作部材４０の操作に起因して上部錠箱１２内へと後退作動する上部垂直出没ボルト８０が、扉１０を開いた所で自動的に係止レバー３５Ａによって係止され、かつ、そのまま操作者が操作部材４０から手を放しても、係止レバー３５Ａに係止されている状態が維持されている概略説明図である。
【００３５】
そこで、３０Ａは上部錠箱１２内の上方隅角部に第１枢軸３１Ａを介して軸支された「く」の字状のトリガー、３２Ａはこのトリガー３０Ａを常時係止レバー３５Ａと係合する方向に付勢するトリガーバネ、３３Ａはこのトリガー３０Ａの上蓋９１側に臨む上端部に固定的に設けられ、かつ、受け金具３の第２磁性体５に対峙可能な上部磁性体、３４Ａはトリガー３０Ａの下端部に形成された爪状の駆動係合部、３５Ａは第２枢軸３６Ａを介してトリガー３０Ａの駆動係合部３４Ａと上部垂直出没ボルト８０のラック２３Ａとの間に位置するように軸支された係止レバー、３７Ａは前記ラック２３Ａと噛合する係止レバーのピニオン部、そして、３８Ａは爪状駆動係合部３４Ａと係脱する係止レバーのラチェット歯部である。
【００３６】
したがって、本実施例では上部垂直出没ボルト８０用の自動係脱機構１６Ａも、受け金具３の第２磁性体５の極性に対応して反発する上部磁性体３３Ａを有するトリガー３０Ａと、このトリガー３０Ａの爪状駆動係合部３４Ａ及び上部垂直出没ボルト８０の係合溝（ラック）２３Ａとそれぞれ係脱する係止レバー３５Ａとから成る。
【００３７】
次に上部錠箱１２内には、上部垂直出没ボルト８０の引下げ用駆動機構（以下、単に「ボルト引下げ機構」と言う。）が設けられている。
【００３８】
図６はこのボルト引下げ機構９５の一例が上部錠箱１２内の下方に組み込まれた状態の概略説明図であり、また図７はボルト引下げ機構９５を構成する各部材の分解斜視図である。
【００３９】
そこで、これらの図面を参照にボルト引下げ機構９５の各部材について説明する。まず９６は上部錠箱１２に上下方向にスライド可能に設けられた引下げ片である。この引下げ片９６は、下向きコ字状の嵌合受け部９７と、この嵌合受け部９７の対向する脚部９７ａ、９７ａの内壁面にそれぞれ離間状態で水平に設けられた一対の押し上げバネ９８、９８用のバネ受け小板９９、９９と、前記脚部９７ａの少くとも一方、本実施例では左側の脚部９７ａの外壁面の中央部寄りの部位に一体的に設けられた押しバネ１００用のＬ字状支持アーム板１０１とを有し、前記対向する脚部９７ａ、９７ａには、ナイフ形状の揺動可能な押し下げ従動片１０２が水平状態に貫通する貫通孔１０３、１０３がそれぞれ形成され、また左側脚部９７ａの前記貫通孔１０３より下方の部位には、係止棒１０４用の嵌合孔１０５が形成されている。そして、前記嵌合受け部９７の脚部９７ａ、９７ａは、本実施例では上部錠箱１２の底壁１２ａに形成した一対のガイド小孔１０６、１０６に嵌まり合っている。
【００４０】
次に前記押し上げバネ９８、９８は、上部錠箱１２の底壁１２ａ内面と左右のバネ受け小板９９、９９との間にそれぞれ介在し、引下げ片９６が下降した時には、該引下げ片９６を上方に付勢する。
【００４１】
次に押し下げ従動片１０２は、一（左）端部が横軸１０７に軸支され、一方、引下げ片９６の貫通孔１０３、１０３を貫通した自由端部は、さらに上部垂直出没ボルト８０のボルト本体２２Ａの細幅部の側面を交差し、かつ、ボルト本体２２Ａの近傍に設けられたストッパーとしての支持ピン１０８に係合している。
【００４２】
次に前記押しバネ１００は、その一端部が支持アーム板１０１の垂直部に固定され、かつ、Ｔ字型形状の係止棒１０４を上部連結杆１３の挿入上端部１３ａに係合する方向へ常時付勢している。
【００４３】
次に脚部９７ａの嵌合孔１０５に貫入された前記係止棒１０４の尖端部１０４ｂは、上部錠箱１２の底壁１２ａに形成された中央部孔１０９を介して引下げ片９６の一対のバネ受け小板９９、９９の間へと入り込んだ前記挿入上端部１３ａの係止穴１１０に深く入り込んでいる。
【００４４】
したがって、本発明のボルト引下げ機構９５を構成する各部材は、上部錠箱１２に上下方向にスライド可能に設けられた引下げ片９６と、この引下げ片９６を上方に付勢することができるように引下げ片９６に設けられた押し上げバネ９８と、引下げ片９６の貫通孔１０３、１０３を貫通し、かつ、ストッパー手段１０８を介して所定位置に規制された揺動片或いは押し下げ従動片１０２と、押しバネ１００により常時付勢された状態で引下げ片９６の嵌合孔１０５を貫通し、かつ、尖端部が上部連結杆１３の挿入上端部１３ａに係合する係止棒１０４とで構成されている。
【００４５】
ところで、本発明の上部錠箱１２内には上蓋９１から係止棒１０４の突出頭部１０４ａまで「Ｊ」字状、或いは設計如何によっては「コ」字状に延びた細板状乃至長棒状の係止棒解除用操作片１１１が常設されている。
【００４６】
なお、この操作片１１１を操作して上部連結杆１３を外そうとする場合には、まず扉１０を開いた後に上部錠箱１２から上蓋９１を外し、次に操作片１１１の外端部１１１ａを握りながら適宜に操作し、その折曲内端部１１１ｂを係止棒１０４の突出頭部１０４ａに押し当て、該係止棒１０４を押しバネ１００のバネ力に抗してスライドさせることにより、係止棒１０４の係合を解除させることができる。
【００４７】
上記構成に於ける作用について説明する。まず、出没ボルトの自動係脱機構１６、１６Ａについて説明する。図２及び図６は、扉１０を開く際に操作部材４０の操作により各錠箱１１、１２内にそれぞれ後退した出没ボルト１５、８０が、扉１０を開いた所で自動的に各々の係止レバー３５、３５Ａによって係止され、かつ、そのまま操作者が操作部材４０から手を放し、これにより操作部材４０がその駆動バネ４７のバネ力により元の位置に復帰しても、係止レバー３５、３５Ａに係止されている状態が維持されている各概略説明図である。
【００４８】
前述したように、本発明の各錠箱１１、１２にそれぞれ内装された自動係脱機構１６、１６Ａの各係止レバー３５、３５Ａは、それぞれのトリガー３０、３０Ａが各トリガーバネ３２、３２Ａのバネ力に抗して係合解除の方向へ回転しない限り、中央錠箱１１及び上部錠箱１２にそれぞれ後退した各出没ボルト１５、８０を係止している。したがって、各出没ボルト１５、８０は、扉１０が開いている間、各錠箱１１、１２内に引っ込んだままである。
【００４９】
そこで、図８及び図９は、扉枠１に対して扉１０を閉めた瞬間の各概略説明図である。扉１０を閉めると、各錠箱１１、１２内の各トリガー３０、３０Ａの各磁性体３３、３３Ａが、対応する受け金具２、３側の各磁性体４、５にそれぞれ対峙する。そうすると、本実施例では中央磁性体３３及び上部磁性体３３Ａはそれぞれ反発し、各トリガー３０、３０Ａはそれぞれのトリガーバネ３２、３２Ａのバネ力に抗して係合解除の方向へ回転する。その結果、各出没ボルト１５、８０に対するそれぞれの係止レバー３５、３５Ａの係止が自動的に解除される。
【００５０】
そうすると、各出没ボルト１５、８０の各ラック２３、２３Ａにそれぞれ噛合しているそれぞれの係止レバー３５、３５Ａはフリーな状態であるため、図１０及び図１１で示すように、水平出没ボルト１５は付勢バネ２５のバネ力により前進して受け金具２に係合し、また上部垂直出没ボルト８０は付勢バネ２５Ａのバネ力により上昇して受け金具３に係合する。
【００５１】
次に出没ボルトの後退について説明する。図１２及び図１３は、操作部材の一例としてのレバーハンドル４０を押し下げ、扉１０を開けようとした場合に出没ボルト１５、８０がそれぞれ各錠箱１１、１２内へと後退した時の各概略説明図である。
【００５２】
そこで、レバーハンドル４０を押し下げると、まず中央錠箱１１内の駆動体４１は、その駆動バネ４７のバネ力に抗して時計方向に回転する。中央錠箱１１の水平出没ボルト１５は、その受け係合部２７を介して駆動体４１の係合中央部４３に後壁に係合しているので、付勢バネ２５のバネ力に抗して後退する。
【００５３】
一方、中央錠箱１１内の駆動体４１が時計方向に回転すると、駆動体４１の係合人差し指４５の上方係合ピン６０が従動リンク６２の下部係合アーム６４の垂直案内長孔６３の内壁面をスライドし、従動リンク６２は固定軸６２を中心に半時計方向へと回転する。この時従動リンク６２の上部係合アーム６６の押し下げ係合ピン６５は、上方スライド片７０の幅広係合部７０ａの水平案内長孔７１の内壁面をスライドするので、上方スライド片７０は下降する。
【００５４】
しかして、上方スライド片７０が下降すると、上部連結杆１３を介して上部錠箱１２内の引下げ片９６が各押し上げバネ９８のバネ力に抗して下がる。そうすると、ナイフ形状の揺動片１０２は上部垂直出没ボルト８０の受け係合部２７Ａに係合しているので、該上部垂直出没ボルト８０をその付勢バネ２５Ａのバネ力に抗して上部錠箱１２内へと押し下げる。この時トリガー３０Ａはピニオン部３７Ａを介して回転する係止レバー３５Ａのラチェット歯部３８Ａの歯を１個づつ乗り越える。
【００５５】
以上のように、上部垂直出没ボルト８０及び水平出没ボルト１５は、扉の閉鎖時、どちらも突出して各々の受け金具２、３に係合する。
【００５６】
【実施例】
まず、第１実施例に於いて、各係止レバー３５、３５Ａがそれぞれ係合する出没ボルト１５、８０のラック２３、２３Ａは、当業者であれば、各係止レバー３５、３５Ａの形態を任意に設計変更することにより、適当な連続する係合溝に変更することができる。
【００５７】
また本発明の自動係脱機構１６（１６Ａ）の一例は、扉１０を閉めると、対向する磁性体の極性（反発）に対応して駆動するトリガー３０（３０Ａ）が時計方向へ回転し、その結果、前記係止レバー３５（３５Ａ）の係止が自動的に解除される。
【００５８】
ところで、この場合当業者であれば、例えば図２を基準に中央錠箱１１内のトリガー３０を反転した実施例を極めて容易に考えることができる。このように設計変更した実施例は、トリガー３０の中央磁性体３３は下方に位置し、一方、トリガー３０の爪状駆動係合部３４が係止レバー３５のラチェット歯部３８に係合するように上方に位置する。したがって、扉１０を閉めると、対向する磁性体の極性（吸着）に対応して駆動するトリガー３０（３０Ａ）が時計方向へ回転し、その結果、前記係止レバー３５（３５Ａ）の係止が自動的に解除される。
【００５９】
さらに、上部錠箱１２内に設けられた引下げ用駆動機構９５を構成する押し下げ従動片１０２は、ストロークとの関係で一端部が横軸１０７に枢支された揺動片であるが、上部垂直出没ボルト８０の受け係合部２７Ａと係合さえすれば、必ずしも上部錠箱１２に一端部を枢支する必要はない。
【００６０】
次に図１４は第１実施例の引下げ用駆動機構（ボルト引下げ機構）９５の変形例を示す概略説明図である。なお、この実施例の説明に当って、図６に示した各部材等の符号はそのまま使用し、重複する説明を省略する。
【００６１】
図１４に示す引下げ用駆動機構９５Ａは、引下げ片９６Ａの右側の脚部９７ａに、上部垂直出没ボルト８０の受け係合部２７Ａと係合する係合突片１０２Ａを形成した点が、第１実施例の引下げ用駆動機構９５と相違する。したがって、この引下げ用駆動機構９５Ａに於いては、引下げ片９６Ａの脚部９７ａ、脚部９７ａに押し下げ従動片用の貫通孔が形成されていない。
【００６２】
【発明の効果】
以上の説明から明らかなように、本発明にあっては次に列挙するような効果がある。（１）扉を開けた時には、操作部材を操作に起因し、複数個の錠箱の各出没ボルトがそれぞれ後退し、かつ、扉を開けている間は常に各出没ボルトが錠箱内に引っ込んだままである反面、扉を閉じると、その瞬間に、各出没ボルトが自動的に対応する受け金具にそれぞれ確実に係合する。したがって、特に自由扉式の大型扉に本発明の機構を採用した場合に、扉の開閉操作が非常に容易であると共に、扉閉鎖の瞬時に「２箇所以上」で扉を自動的にロックすることができる。
（２）構成する部品点数が少ない。
（３）請求項４及び請求項５に記載の発明は、上部錠箱に内装されたボルト引下げ機構の上部垂直出没ボルト用引下げ片に連結された上部連結杆を容易に取り外すことができる。
【図面の簡単な説明】
図１乃至図１３は本発明の一実施例を示す各説明図。図１４は要部の変形例の説
明図。
【図１】発明の実施形態の一例を示す概略説明図。
【図２】中央錠箱の内部構造を示す概略説明図。
【図３】出没ボルトの斜視からの説明図。
【図４】図３の４−４線概略断面図。
【図５】要部（駆動体等）の拡大説明図。
【図６】上部錠箱の内部構造を示す概略説明図。
【図７】上部錠箱に組み込まれたボルト引き下げ機構の各部材の分解斜視図。
【図８】扉枠に対して扉を閉めた瞬間の概略説明図。
【図９】扉枠に対して扉を閉めた瞬間の概略説明図。
【図１０】出没ボルトが対応する受け金具に係合した状態の概略説明図。
【図１１】出没ボルトが対応する受け金具に係合した状態の概略説明図。
【図１２】出没ボルトの後退の概略説明図。
【図１３】出没ボルトの後退の概略説明図。
【図１４】上部錠箱内の要部の変形例を示す概略説明図。
【図１】
0003886615.tif 000002
【図２】
0003886615.tif 000003
【図３】
0003886615.tif 000004
【図４】
0003886615.tif 000005
【図５】
0003886615.tif 000006
【図６】
0003886615.tif 000007
【図７】
0003886615.tif 000008
【図８】
0003886615.tif 000009
【図９】
0003886615.tif 000010
【図１０】
0003886615.tif 000011
【図１１】
0003886615.tif 000012
【図１２】
0003886615.tif 000013
【図１３】
0003886615.tif 000014
【図１４】
0003886615.tif 000015